【手続補正書】
【提出日】平成23年4月27日(2011.4.27)
【手続補正１】
【補正対象書類名】特許請求の範囲
【補正対象項目名】全文
【補正方法】変更
【補正の内容】
【特許請求の範囲】
【請求項１】
天井に設置される筐体と、
該筐体内に室内空気を流入させる吸入部と、
該吸入部から流入する塵埃を捕集するエアフィルタと、
該エアフィルタに捕集された塵埃を除去する塵埃除去部と、
前記塵埃除去部によって該エアフィルタから除去された塵埃を一時貯留する捕集部と、を備え、
前記捕集部は、該塵埃除去部に付着した塵埃などを除去可能に構成されていることを特徴とする室内機ユニット。
【請求項２】
前記捕集部は、前記塵埃除去部を内部に収容し、該塵埃除去部が前記エアフィルタに接触できるように上方に開口部を有することを特徴とする請求項１に記載の室内機ユニット。
【請求項３】
前記捕集部は有底であることを特徴とする請求項１または２記載の室内機ユニット。
【請求項４】
前記塵埃除去部は回転可能なブラシであることを特徴とする請求項１から３のいずれかに記載の室内機ユニット。
【請求項５】
前記回転ブラシは、その中心軸線回りに回転する回転軸と、該回転軸の半径方向に延びるブラシ部とを備えて構成されていることを特徴とする請求項１から４のいずれかに記載の室内機ユニット。
【請求項６】
前記捕集部を前記筐体から昇降可能に支持する昇降部をさらに有することを特徴とする請求項１から５のいずれかに記載の室内機ユニット。
【請求項７】
前記エアフィルタを前記筐体に保持したまま、前記昇降部は前記捕集部を昇降可能に保持することを特徴とする請求項６に記載の室内機ユニット。
【請求項８】
前記エアフィルタを前記筐体に保持したまま、前記昇降部は前記塵埃除去部を昇降可能に保持することを特徴とする請求項６または７に記載の室内機ユニット。
【請求項９】
前記捕集部に貯留された塵埃の量を検知する塵埃量検知部が設けられていることを特徴とする請求項１から８のいずれかに記載の室内機ユニット。
【請求項１０】
前記吸入部には、吸込口が形成されているとともに、前記エアフィルタを支持するパネルが設けられていることを特徴とする請求項１から９のいずれかに記載の室内機ユニット。
【請求項１１】
前記エアフィルタは、一端側において回動可能に支持されていることを特徴とする請求項１から１０のいずれかに記載の室内機ユニット。
【請求項１２】
請求項１から１１のいずれかに記載の室内機ユニットと、
該室内機ユニットとともに冷媒が循環する冷媒回路を構成する室外機ユニットと、を有することを特徴とする空気調和機。
【手続補正２】
【補正対象書類名】明細書
【補正対象項目名】０００８
【補正方法】変更
【補正の内容】
【０００８】
上記目的を達成するために、本発明は、以下の手段を提供する。
本発明の室内機ユニットは、天井に設置される筐体と、該筐体内に室内空気を流入させる吸入部と、該吸入部から流入する塵埃を捕集するエアフィルタと、該エアフィルタに捕集された塵埃を除去する塵埃除去部と、前記塵埃除去部によって該エアフィルタから除去された塵埃を一時貯留する捕集部と、を備え、前記捕集部は、該塵埃除去部に付着した塵埃などを除去可能に構成されていることを特徴とする。
本発明によれば、エアフィルタに捕集された塵埃が塵埃除去部に除去され、除去された塵埃が、捕集部に一時的に蓄積されるため、エアフィルタの清掃を行うたびに塵埃を捕集部から取り除く必要がない。つまり、捕集部から塵埃を取り除くのは、複数回のエアフィルタ清掃に対して１回行えばよく、これによりエアフィルタのメンテナンスに要する労力を軽減することができる。
しかも、捕集部は、塵埃除去部に付着した塵埃などが除去される構成であるため、エアフィルタのメンテナンスに要する労力をさらに軽減することができる。
上記発明においては、前記捕集部は、前記塵埃除去部を内部に収容し、該塵埃除去部が前記エアフィルタに接触できるように上方に開口部を有することが望ましい。
上記発明においては、前記捕集部は有底であることが望ましい。本構成によれば、塵埃除去部に除去された塵埃が、底を有する捕集部に一時的に蓄積されるため、エアフィルタのメンテナンスに要する労力を軽減することができる。
上記発明においては、前記塵埃除去部は回転可能なブラシであることが望ましい。
上記発明においては、前記回転ブラシは、その中心軸線回りに回転する回転軸と、該回転軸の半径方向に延びるブラシ部とを備えて構成されていることが望ましい。
上記発明においては、前記回転ブラシは、その中心軸線回りに回転する回転軸と、該回転軸の半径方向に延びるブラシ部とを備えて構成されていることが望ましい。
上記発明においては、前記捕集部を前記筐体から昇降可能に支持する昇降部をさらに有することが望ましい。
本発明によれば、昇降部は、エアフィルタを降ろすことなく捕集部を昇降させるため、エアフィルタを昇降させる場合と比較して、昇降部に係る負荷を軽減することができる。
上記発明においては、前記エアフィルタを前記筐体に保持したまま、前記昇降部は前記捕集部を昇降可能に保持することが望ましい。
本発明によれば、昇降部は、エアフィルタを降ろすことなく捕集部を昇降させるため、エアフィルタも昇降させる場合と比較して、昇降部に係る負荷を軽減することができる。
上記発明においては、前記エアフィルタを前記筐体に保持したまま、前記昇降部は前記塵埃除去部を昇降可能に保持するようにしてもよい。
本発明によれば、昇降部は、エアフィルタを降ろすことなく塵埃除去部を昇降させるため、エアフィルタも昇降させる場合と比較して、昇降部に係る負荷を軽減することができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】